【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】
ストレージシステムにおいて、１つのボリュームを起源とした複数のペアに作成するバックアップデータの世代管理を、記憶制御装置により行う方法であって、前記記憶制御装置が、
前記ペアにおける正・副ボリューム間の同期を停止するスプリット要求を、当該スプリットのバージョン情報とともにホストコンピュータより受付けるステップと、
前記スプリット要求に応じて、該当ペアにおける正・副ボリューム間のバックアップを実行し、当該ペアの同期を停止するスプリット処理を実行するステップと、
前記スプリット処理のバージョン情報をペア毎に所定記憶部に記憶するステップと、
を含むことを特徴とするバックアップデータの世代管理方法。
【請求項２】
正ボリュームを副ボリュームの内容に復元するリストア要求を、リストアを望むバージョン情報とともにホストコンピュータより受付けるステップと、
前記受け付けたバージョン情報を、前記記憶部に記憶されている前記スプリット処理のバージョン情報と照合し、適合するスプリット処理のバージョン情報を認識するステップと、
前記認識したバージョン情報に対応する副ボリュームを正ボリュームへコピーしリストア処理を行うステップと、
を含むことを特徴とする請求項１に記載のバックアップデータの世代管理方法。
【請求項３】
前記リストア要求をホストコンピュータより受付けるステップにおいて、当該リストア要求にバージョン情報が伴っていなかった場合、
前記記憶部に記憶されているスプリット処理のバージョン情報を抽出し、ホストコンピュータに通知するステップと、
前記通知したバージョン情報中より選択されたバージョン情報をホストコンピュータより受け付けて、リストア対象のバージョン情報とするステップと、
を含むことを特徴とする請求項２に記載のバックアップデータの世代管理方法。
【請求項４】
前記スプリット要求に応じたスプリット処理のバージョン情報をホストコンピュータに通知するステップを含むことを特徴とする請求項１に記載のバックアップデータの世代管理方法。
【請求項５】
前記バージョン情報に、ホストコンピュータ起源の時刻情報およびユーザ指定のバージョンIDの少なくともいずれかを含めることを特徴とする請求項１に記載のバックアップデータの世代管理方法。
【請求項６】
請求項１〜５のいずれかに記載のバックアップデータの世代管理方法に用いる記憶制御装置であって、
通信手段により接続するホストコンピュータからの要求に応じて前記正ボリュームおよび副ボリュームにデータを読み書きする手段と、前記各ステップを実行する手段とを備えることを特徴とする記憶制御装置。
【請求項７】
コンピュータで構成された処理装置と、入出力インターフェイスとキャッシュメモリと共有メモリとチャネルアダプタとディスクアダプタとを備えた記憶制御装置と、インターフェイスたるＳＣＳＩまたはファイバーチャネルを介して前記処理装置と接続される記憶装置たるディスクアレイ装置または半導体ディスク装置とを備えて構成されるストレージシステムにおいて、１つのボリュームを起源とした複数のペアに作成するバックアップデータの世代管理を、記憶制御装置により行う方法であって、前記記憶制御装置が、
前記ペアにおける正・副ボリューム間の同期を停止するスプリット要求を、当該スプリットのバージョン情報とともにホストコンピュータより受付けるステップと、
前記スプリット要求に応じて、該当ペアにおける正・副ボリューム間のバックアップを実行し、当該ペアの同期を停止するスプリット処理を実行するステップと、
前記スプリット処理のバージョン情報をペア毎に所定記憶部たる共有メモリに記憶するステップと、
を含むことを特徴とするバックアップデータの世代管理方法。
【請求項８】
コンピュータで構成された処理装置と、入出力インターフェイスとキャッシュメモリと共有メモリとチャネルアダプタとディスクアダプタとを備えて、１つのボリュームを起源とした複数のペアに作成するバックアップデータの世代管理を行う記憶制御装置であって、
通信手段により接続するホストコンピュータからの要求に応じて、前記ペアにおける正ボリュームおよび副ボリュームにデータを読み書きする手段と、
前記ペアにおける正・副ボリューム間の同期を停止するスプリット要求を、当該スプリットのバージョン情報とともにホストコンピュータより受付ける手段と、
前記スプリット要求に応じて、該当ペアにおける正・副ボリューム間のバックアップを実行し、当該ペアの同期を停止するスプリット処理を実行する手段と、
前記スプリット処理のバージョン情報をペア毎に所定記憶部たる共有メモリに記憶する手段と、
を備えることを特徴とする記憶制御装置。
【手続補正２】
【補正対象書類名】明細書
【補正対象項目名】００１１
【補正方法】変更
【補正の内容】
【００１１】
【課題を解決するための手段】
上記目的を達成する本発明のバックアップデータの世代管理方法は、ストレージシステムにおいて、１つのボリュームを起源とした複数のペアに作成するバックアップデータの世代管理を、記憶制御装置により行う方法であって、前記記憶制御装置が、前記ペアにおける正・副ボリューム間の同期を停止するスプリット要求を、当該スプリットのバージョン情報とともにホストコンピュータより受付けるステップと、前記スプリット要求に応じて、該当ペアにおける正・副ボリューム間のバックアップを実行し、当該ペアの同期を停止するスプリット処理を実行するステップと、前記スプリット処理のバージョン情報をペア毎に所定記憶部に記憶するステップと、を含むことを特徴とする。
また、本発明のバックアップデータの世代管理方法は、コンピュータで構成された処理装置と、入出力インターフェイスとキャッシュメモリと共有メモリとチャネルアダプタとディスクアダプタとを備えた記憶制御装置と、インターフェイスたるＳＣＳＩまたはファイバーチャネルを介して前記処理装置と接続される記憶装置たるディスクアレイ装置または半導体ディスク装置とを備えて構成されるストレージシステムにおいて、１つのボリュームを起源とした複数のペアに作成するバックアップデータの世代管理を、記憶制御装置により行う方法であって、前記記憶制御装置が、前記ペアにおける正・副ボリューム間の同期を停止するスプリット要求を、当該スプリットのバージョン情報とともにホストコンピュータより受付けるステップと、前記スプリット要求に応じて、該当ペアにおける正・副ボリューム間のバックアップを実行し、当該ペアの同期を停止するスプリット処理を実行するステップと、前記スプリット処理のバージョン情報をペア毎に所定記憶部たる共有メモリに記憶するステップと、を含むことを特徴とする。
また、本発明の記憶制御装置は、コンピュータで構成された処理装置と、入出力インターフェイスとキャッシュメモリと共有メモリとチャネルアダプタとディスクアダプタとを備えて、１つのボリュームを起源とした複数のペアに作成するバックアップデータの世代管理を行う記憶制御装置であって、通信手段により接続するホストコンピュータからの要求に応じて、前記ペアにおける正ボリュームおよび副ボリュームにデータを読み書きする手段と、前記ペアにおける正・副ボリューム間の同期を停止するスプリット要求を、当該スプリットのバージョン情報とともにホストコンピュータより受付ける手段と、前記スプリット要求に応じて、該当ペアにおける正・副ボリューム間のバックアップを実行し、当該ペアの同期を停止するスプリット処理を実行する手段と、前記スプリット処理のバージョン情報をペア毎に所定記憶部たる共有メモリに記憶する手段と、を備えることを特徴とする。
その他、本願が開示する課題、及びその解決方法は、発明の実施の形態の欄及び図面により明らかにされる。